(57)【要約】【課題】体裁が良好で、複雑な構造とすることなく、比較的低コストでありながら、引戸を円滑に開閉動作させることができるようにした什器の上部キャビネット構造を提供する。【解決手段】キャビネット本体６の開口部７を開閉する左右方向に移動可能な引戸８を設けるとともに、キャビネット本体６における底板１０の下面前端部に下方が開放する左右方向の凹入部１１を設け、かつこの底板１０の下面前端部と支持板４の上面前端部との間に間隙１７を設けて、凹入部１１を前方外部に連通させ、引戸８の下端部に設けたローラ取付金具１８を、間隙１７を通して、その遊端に取付けたローラ１９を凹入部１１内に配設し、このローラ１９を、底板１０または支持板４に取付けたレール部材１３上に転動可能に支持させる。【選択図】    図４
2010104687.tif 000002
【特許請求の範囲】
【請求項１】
什器の天板後部から左右の支柱を立設し、これらの支柱間に架設した支持板上に、前面に開口部を備えるキャビネット本体を支持させてなる什器の上部キ  ャビネット構造であって、
キャビネット本体の開口部を開閉する左右方向に移動可能な引戸を設けるとともに、キャビネット本体における底板の下面前端部に、下方が開放する左右方向の凹入部を設け、かつこの底板の下面前端部と支持板の上面前端部との間に間隙を設けて、前記凹入部を前方外部に連通させ、引戸の下端部に設けたローラ取付金具を、前記間隙を通して、その遊端に取付けたローラを前記凹入部内に配設し、このローラを、前記底板または支持板に取付けたレール部材上に転動可能に支持させたことを特徴とする上部キャビネット構造。
【請求項２】
支持板の上面に、その前端より後方位置において上向きの突出部を設け、この突出部の上面とキャビネット本体における底板の下面との間に、レール部材を挟持させた請求項１記載の上部キャビネット構造。
【請求項３】
キャビネット本体における底板の下面に、その前端より後方位置において下向きの垂下部を設け、この垂下部の下面と支持板の上面との間に、レール部材を挟持させた請求項１記載の上部キャビネット構造。
【請求項４】
支持板の上面に、その前端より後方位置において上向きの突出部、キャビネット本体における底板の下面に、その前端より後方位置において下向きの垂下部をそれぞれ設け、これらの突出部の上面と垂下部の下面との間に、レール部材を挟持させた請求項１記載の上部キャビネット構造。
【請求項５】
支持板の上面に設けた突出部、またはキャビネット本体における底板の下面に設けた垂下部の上下方向の寸法を適宜定めることにより、キャビネット本体の底板の下面前端部と支持板の上面前端部との間に、ローラ取付金具を通しうる間隙が生ずるようにした請求項２〜４のいずれかに記載の上部キャビネット構造。
【請求項６】
キャビネット本体の左右一対の側板間に、底板を、その下面が側板の下端よりも上方に位置するように設け、側板下端を支持板上に当接させて、キャビネットを支持板上に支持するとともに、前記底板の下面前端部に設けた左右方向の凹入部の左右端を前記側板をもって閉塞した請求項１〜５のいずれかに記載の上部キャビネット構造。
【発明の詳細な説明】
【技術分野】
【０００１】
本発明は、オフィス等の執務空間において使用される事務用机などの什器の上方位置に配置された上部キャビネット構造に関する。
【背景技術】
【０００２】
たとえばオフィス等の執務空間において使用される事務用机の上方位置に、上部キャビネットを配置することにより、事務用机の使い勝手を良好にするとともに、収容効率を向上させるようにしたものが、多く見られている。
【０００３】
上部キャビネットを、事務用机などの什器の上方位置に支持させる方法としては、たとえば什器の天板後部から左右の支柱を立設し、これらの支柱に、前面に開口部を備えるキャビネットの下面を支持させるように取付けたものが一般的である。
【０００４】
前記従来のものは、キャビネットを什器に、簡単に、かつ低コストをもって取付けることができる反面、地震などによる落下防止の安全を図るために、キャビネット本体の下面を強固に支持させる必要がある。
また、複数のキャビネットを左右に隣接して配置させたい場合には、強度上、什器の後方に、多数の支柱を立設しなければならないため、使い勝手ばかりでなく、体裁も悪くなるという不具合がある。
【０００５】
このような不具合を解消するために、左右の支柱の上部間に支持板を架設するとともに、この支持板上に、キャビネットを載置または支持させてなる構成を有するものが公知である（特許文献１，２参照）。
このような支持構造では、キャビネットの下面を比較的簡易な構成とすることができるとともに、複数の上部キャビネットを什器の後方に設置することができるため、使い勝手、および体裁を良好とすることができる。
【０００６】
また、キャビネット内に収容された物品の落下を防止し、かつ体裁を良く収めるために、キャビネット前面の開口部を閉塞する扉が設けられるようになっているのが一般的となっている。
このような扉の構造としては、扉本体を上方に跳ね上げるフラップ式からなるものが多く見られている（特許文献３，４参照）。
【０００７】
しかし、特許文献３，４に記載されたフラップ式の扉においては、キャビネットに、扉本体の昇降機構を組み込む必要があるため、複雑な構造となり、加工工数、およびコストが掛かってしまう。
【０００８】
これに対し、前記したフラップ式の扉構造に代えて、キャビネットの前面開口部に、引戸式の扉を採用したものも多く見られている（特許文献５参照）。
この引違い引戸式のものは、比較的簡易な構成のため、コストを低減させることができるという利点を有する。
【０００９】
しかし、特許文献５に記載された引戸の開閉構造は、引戸を左右方向に移動可能に案内するレール部材が、キャビネットの底板における補強部材の下面に取付けられるようになっている。
そのため、キャビネットにおける引戸の支持部が、強固にかつ精度良く取付けられていない場合には、引戸の荷重が、ローラを介して、レール部材に負荷されると、レール部材が、経時的に変形して傾き、体裁が悪くなるばかりでなく、引戸を円滑に開閉動作させることが困難となる場合がある。
【特許文献１】特開２００７−１５１９８７号公報
【特許文献２】特許第３９８０３６９号公報
【特許文献３】特開２００６−２９９５３３号公報
【特許文献４】特開２００３−１０６０３６号公報
【特許文献５】特開２００７−１６９９１２号公報
【発明の開示】
【発明が解決しようとする課題】
【００１０】
本発明は、前記した現状に鑑み、体裁が良好で、複雑な構造とすることなく、比較的低コストでありながら、引戸を円滑に開閉動作させることができるようにした什器の上部キャビネット構造を提供することを目的としている。
【課題を解決するための手段】
【００１１】
上記課題は、「特許請求の範囲」の欄における各請求項に記載するように、次のようにな構成からなる発明によって解決される。
【００１２】
(１) 什器の天板後部から左右の支柱を立設し、これらの支柱間に架設した支持板上に、前面に開口部を備えるキャビネット本体を支持させてなる什器の上部キャビネット構造であって、キャビネット本体の開口部を開閉する左右方向に移動可能な引戸を設けるとともに、キャビネット本体における底板の下面前端部に、下方が開放する左右方向の凹入部を設け、かつこの底板の下面前端部と支持板の上面前端部との間に間隙を設けて、前記凹入部を前方外部に連通させ、引戸の下端部に設けたローラ取付金具を、前記間隙を通して、その遊端に取付けたローラを前記凹入部内に配設し、このローラを、前記底板または支持板に取付けたレール部材上に転動可能に支持させる。
【００１３】
（２）上記（１）項において、支持板の上面に、その前端より後方位置において上向きの突出部を設け、この突出部の上面とキャビネット本体における底板の下面との間に、レール部材を挟持させる。
【００１４】
（３）上記（１）項において、キャビネット本体における底板の下面に、その前端より後方位置において下向きの垂下部を設け、この垂下部の下面と支持板の上面との間に、レール部材を挟持させる。
【００１５】
（４）上記（１）項において、支持板の上面に、その前端より後方位置において上向きの突出部、キャビネット本体における底板の下面に、その前端より後方位置において下向きの垂下部をそれぞれ設け、これらの突出部の上面と垂下部の下面との間に、レール部材を挟持させる。
【００１６】
（５）上記（２）〜（４）項のいずれかにおいて、支持板の上面に設けた突出部、またはキャビネット本体における底板の下面に設けた垂下部の上下方向の寸法を適宜定めることにより、キャビネット本体の底板の下面前端部と支持板の上面前端部との間に、ローラ取付金具を通しうる間隙が生ずるようにする。
【００１７】
（６）上記（１）〜（５）項のいずれかにおいて、キャビネット本体の左右一対の側板間に、底板を、その下面が側板の下端よりも上方に位置するように設け、側板下端を支持板上に当接させて、キャビネットを支持板上に支持するとともに、前記底板の下面前端部に設けた左右方向の凹入部の左右端を前記側板をもって閉塞する。
【発明の効果】
【００１８】
本発明によると、次のような効果を奏することができる。
請求項１記載の発明によれば、キャビネット本体における底板の下面前端部に設けた凹入部内に、引戸の下端部に設けたローラ取付金具の遊端に取付けたローラを配設してあるため、ローラが、外部に露出することがなく、体裁を良好にすることができる。
また、キャビネット本体における底板の下面前端部に設けた、下方が開放する左右方向の凹入部を、底板の下面前端部と支持板の上面前端部との間に設けた間隙をもって前方外部に連通させるとともに、この間隙を通して、引戸の下端部に設けたローラ取付金具の遊端に取付けたローラを、凹入部内に配設することにより、底板または支持板に取付けたレール部材上に転動可能に支持させてあるため、複雑な構造とすることなく、比較的低コストでありながら、引戸を円滑に開閉動作させることができる。
【００１９】
請求項２記載の発明によれば、支持板の上面に、その前端より後方位置において上向きの突出部を設け、この突出部の上面とキャビネット本体における底板の下面との間に、レール部材を挟持させてあるため、レール部材を支持板上に強固にかつ安定して支持することができ、引戸を円滑に開閉動作させることができる。
【００２０】
請求項３記載の発明によれば、キャビネット本体における底板の下面に、その前端より後方位置において下向きの垂下部を設け、この垂下部の下面と支持板の上面との間に、レール部材を挟持させてあるため、レール部材を支持板上に強固にかつ安定して支持することができる。
【００２１】
請求項４記載の発明によれば、支持板の上面に、その前端より後方位置において上向きの突出部、キャビネット本体における底板の下面に、その前端より後方位置において下向きの垂下部をそれぞれ設け、これらの突出部の上面と垂下部の下面との間に、レール部材を挟持させてあるため、レール部材を強固にかつ安定して支持することができる。
【００２２】
請求項４記載の発明によれば、支持板の上面に設けた突出部、またはキャビネット本体における底板の下面に設けた垂下部の上下方向の寸法を適宜定めることにより、キャビネット本体の底板の下面前端部と支持板の上面前端部との間に、ローラ取付金具を通しうる間隙が生ずるようにしてあるため、レール部材上に載置されるローラの収容空間を広く確保することができる。
【００２３】
請求項６記載の発明によれば、キャビネット本体の左右一対の側板間に、底板を、その下面が側板の下端よりも上方に位置するように設け、側板下端を支持板上に当接させて、キャビネットを支持板上に支持するとともに、底板の下面前端部に設けた左右方向の凹入部の左右端を側板をもって閉塞してあるため、上部キャビネットの側方の体裁を良好にすることができるとともに、キャビネット本体の前端部を、支持板上に安定的に載置することができる。
【発明を実施するための最良の形態】
【００２４】
本発明を、代表的な実施形態を挙げて詳細に説明する。
図１は、本発明の上部キャビネット構造を備える什器としての事務用机の斜視図、図２は、図１におけるキャビネットの引戸を閉じた状態の拡大正面図、図３は、同じくキャビネットの引戸を開けた状態の拡大正面図、図４は、図２におけるIV〜IV線縦断面図である。
【００２５】
図１〜図３に示すように、什器である事務用机１の天板２の後部から立設された左右の支柱３、３間に支持板４が架設されている。
【００２６】
キャビネット５は、前記支持板４上に支持されている。
このキャビネット５は、キャビネット本体６と、このキャビネット本体６の前面の開口部７を開閉する左右方向に移動可能な引戸８、９とより構成されている。
図４に示すように、本実施形態では、引戸は、外側引戸８と内側引戸９の各１枚よりなる。
一般的には、引戸は適宜所望の数が設けられる。
【００２７】
図５、図６は、それぞれ図２におけるＶ〜Ｖ線横断面図、VI〜VI線横断面図であり、一部仮想線で示す。
図７、図８は、それぞれ図４における下部要部拡大図、上部要部拡大図である。
図９は、支持板とキャビネットにおける底板の分解斜視図である。
【００２８】
図４、図７、図９に示すように、キャビネット本体６における底板１０は、平面視ほぼ長方形状の金属板１０ａの左右端に、前端部を除いて下向きの側縁片１０ｂが設けられているとともに、後端も折り曲げられて後縁片１０ｃが形成されている。
前端は、途中に段部１０ｄを設けて下向きに折り曲げられて前縁片１０ｅが形成されるとともに、その下端は、後向きに、続いて上向きに折り曲げられて前縁片１０ｅの下端１０ｆが形成されている。
前縁片１０ｅの少し後方位置、すなわち底板１０の下面前端より少し後方位置において、上端を前後方向の外向きに折り曲げた上向きコ字状の断面を有する左右方向の垂下部１０ｇが設けられている。
この垂下部１０ｇと前縁片１０ｅと金属板１０ａの下面とにより、底板１０の下面前端部に下方が開放する左右方向の凹入部１１が形成される。
【００２９】
支持板４は、平面視ほぼ長方形状の金属板４ａの左右端および後端が上向きに折り曲げられ、さらにその上端が内向きに折り曲げられて、それぞれ上向きの側縁片４ｂ、後縁片４ｃが形成されるとともに、前端は斜め前上方、上向き、さらに内向きに順次、折り曲げられて前縁片４ｄが形成されている。
さらに、前端部、左右側端部および後端部に、それぞれほぼ下向きコ字状の前端部材４ｅ、側端部材４ｆ、後端部材４ｇが上方より嵌め込まれて溶接されている。
前端部材４ｅの後半部には、段部をもって上向きの突出部４ｈが形成されている。
すなわち、支持板４は、これらの前縁片４ｄ、側縁片４ｂ、後縁片４ｃを備える金属板４ａに、前端部材４ｅ、側端部材４ｆ、後端部材４ｇが溶接されて構成されている。
【００３０】
図３に示すように、底板１０は、キャビネット本体６の左右一対の側板１２間に、その下面１０ｈが側板１２の下端１２ａよりも上方に位置するように設けられており、側板１２の下端１２ａを支持板４上に当接させて、キャビネット５を支持板４上に支持するとともに、底板１０の下面前端部に設けられた左右方向の前記凹入部１１の左右端が前記側板１２をもって閉塞されている。
【００３１】
図９に示すように、支持板４の前端部材４ｅにおける突出部４ｈは、左右端が切欠かれており、キャビネット本体６の左右一対の側板１２の下端１２ａは、支持板４の左右一対の側縁片４ｂの上端４ｉに当接されている。
【００３２】
図７に示すように、キャビネット本体６における底板１０の垂下部１０ｇの下面には、前端に上向きの案内片１３ａを備える左右方向のレール部材１３が下方からねじ１４をもって固着されている。
このレール部材１３は、後記するように外側引戸８の下部に取付けられたローラ１９を転動させるためのものである。
【００３３】
図９に示すように、支持板４における前端部材４ｅの突出部４ｈの上面には、通孔４ｊが穿設されており、前記レール部材１３を垂下部１０ｇに固着したねじ１４の頭部１４ａが、前記通孔４ｊを貫通して、突出部４ｈの下面４ｋより下方に突出している。
なお、この突出部４ｈは、レール部材１３、垂下部１０ｇの下面とともに、ねじ１４をもって共締めされてもよい。
【００３４】
このようにレール部材１３は、支持板４の上面に、その前端より後方位置に設けられた上向きの突出部４ｈの上面と、キャビネット本体６における底板１０の下面に、その前端より後方位置に設けられた下向きの垂下部１０ｇの下面との間に挟持されている。
一般には、前記突出部４ｈと垂下部１０ｇの少なくともいずれか一方を設け、この突出部４ｈの上面と垂下部１０ｇの下面との間、または突出部４ｈの上面とキャビネット本体６における底板１０の下面との間、または垂下部１０ｇの下面と支持板４の上面との間に、前記レール部材１３を挟持させればよい。
【００３５】
図４、図９に示すように、底板１０と支持板４とは、ボルト１５ａを、底板１０に穿設された通孔１６に挿通させて、支持板４の側端部材４ｆに溶接されたナット１５ｂに螺合することにより、締着されている。
【００３６】
図７に示すように、底板１０の下面前端部と支持板４の上面前端部との間には、間隙１７が設けられており、底板１０の下面前端部に形成された前記凹入部１１が、前記間隙１７を介して、前方外部に連通している。
外側引戸８の下端部に設けられたローラ取付金具１８を、前記間隙１７を通して、その遊端に取付けたローラ１９が、前記凹入部１１内に配設されて、前記レール部材１３上を転動しうるようになっている。
前記間隙１７の上下方向の寸法は、支持板４の上面に設けた前記突出部４ｈ、またはキャビネット本体６における底板１０の下面に設けた垂下部１０ｇの上下方向の寸法を適宜定めることにより、ローラ取付金具１８を通しうる大きさとされている。
【００３７】
図１０は、外側引戸８の内側視における要部分解斜視図である。
【００３８】
図２、図３、図５、図６および図１０に示すように、外側引戸８および内側引戸９の後面には、それぞれ左右端近傍に、前端に左右方向の溶接片を付設した断面前向きコ字状の上下方向の補強部材２０が溶着されている。
【００３９】
図１０に示すように、この補強部材２０の基板２０ａは、上下端が切欠かれており、上下のローラ取付金具２１、１８がそれぞれ溶着またはねじ１８ａにより取付けられている。
外側引戸８の下端部に取付けられているローラ取付金具１８は、図７、図１０に示すように、側方視ほぼ上向きコ字状をなし、後片１８ｂは、下半部分が後斜め上方に延設され、上半部分が上向きとなっている。
このローラ取付金具１８における後片１８ｂの遊端に、前後方向の枢軸をもって、ローラ１９が取付けられている。
【００４０】
外側引戸８の下端部８ａは、支持板４の前端部上面４ｌよりも下方に位置させてあり、これによりキャビネット本体６における底板１０の下面前端部と支持板４の上面前端部との間の間隙１７を、少なくとも外側引戸８の左右幅だけ前方視において閉塞しうるようになっている。
【００４１】
図４、図８に示すように、外側引戸８の上端部に溶着によって取付けられたローラ取付金具２１は、側方視下向きＬ字状をなしており、その遊端には、上下方向の枢軸をもって、ローラ２２が取付けられている。
このローラ２２は、キャビネット本体６における天板２３の下面に設けられた左右方向の下向き案内溝２４によって案内されるようになっている。
【００４２】
図７に示すように、内側引戸９の下端部には、横向きＺ字状のローラ取付金具２５が取付けられており、その遊端には、前後方向の枢軸をもってローラ２６が取付けられている。
このローラ２６は、キャビネット本体６における底板１０の前端に立設された左右方向のレール部材２７上を転動しうるようになっている。
【００４３】
内側引戸９は、その下端部９ａがキャビネット本体６における底板１０の前端縁面１０ｉの前方に位置しており、この前端縁面１０ｉと前記下端部９ａとが上下方向に少なくとも一部重なるように配設されている。
【００４４】
図８に示すように、内側引戸９の上端部には、外側引戸８の場合と同様にして、側方視下向きＬ字状のローラ取付金具２８が取付けられており、その遊端には、上下方向の枢軸をもって、ローラ２９が取付けられている。
このローラ２９は、天板２３の下面に設けられた左右方向の下向き案内溝３０によって案内されるようになっている。
【００４５】
以上の実施形態では、前面に開口部７を備えるキャビネット本体６を有するキャビネット５について説明したが、この他の実施形態として、たとえばキャビネット本体を、その前面および後面に開口部を備えるものとし、後面開口部にも前面開口部と同様な形態で外側引戸および内側引戸を設けるとともに、前面開口部に設けた外側引戸と後面開口部に設けた内側引戸を対向させ、かつ前面開口部に設けた内側引戸と後面開口部に設けた外側引戸とを対向させたものが挙げられる。
【００４６】
このような実施形態とすることにより、支持板４における突出部４ｈが左右方向において一部欠除する場合においても、支持板４の上面前端部と、キャビネット本体６における底板１０の下面前端部との間の間隙１７の存在が前方視等において明らかとなり、見栄えに悪影響を及ぼすことを有効に防止することができる。
【図面の簡単な説明】
【００４７】
【図１】本発明の上部キャビネット構造を備える什器としての事務用机の斜視図である。
【図２】図１におけるキャビネットの引戸を閉じた状態の拡大正面図である。
【図３】同じくキャビネットの引戸を開けた状態の拡大正面図である。
【図４】図２におけるIV〜IV線縦断面図である。
【図５】一部仮想線で示す、図２におけるＶ〜Ｖ線横断面図である。
【図６】一部仮想線で示す、VI〜VI線横断面図である。
【図７】図４における下部要部拡大図である。
【図８】図４における上部要部拡大図である。
【図９】支持板とキャビネットにおける底板の分解斜視図である。
【図１０】外側引戸の内側視における要部分解斜視図である。
【符号の説明】
【００４８】
１      事務用机
２      天板
３      支柱
４      支持板
４ａ    金属板
４ｂ    側縁片
４ｃ    後縁片
４ｄ    前縁片
４ｅ    前端部材
４ｆ    側端部材
４ｇ    後端部材
４ｈ    突出部
４ｉ    上端
４ｊ    通孔
４ｋ    下面
４ｌ    上面
５      キャビネット
６      キャビネット本体
７      開口部
８      外側引戸
８ａ    下端部
９      内側引戸
９ａ    下端部
１０    底板
１０ａ  金属板
１０ｂ  側縁片
１０ｃ  後縁片
１０ｄ  段部
１０ｅ  前縁片
１０ｆ  前縁片の下端
１０ｇ  垂下部
１０ｈ  下面
１０ｉ  前端縁面
１１    凹入部
１２    側板
１２ａ  下端
１３    レール部材
１３ａ  案内片
１４    ねじ
１４ａ  頭部
１５ａ  ボルト
１５ｂ  ナット
１６    通孔
１７    間隙
１８    ローラ取付金具
１８ａ  ねじ
１８ｂ  後片
１９    ローラ
２０    補強部材
２０ａ  基板
２０ｂ  切欠部
２１    ローラ取付金具
２２    ローラ
２３    天板
２４    案内溝
２５    ローラ取付金具
２６    ローラ
２７    レール部材
２８    ローラ取付金具
２９    ローラ
３０    案内溝
【図１】
2010104687.tif 000003
【図２】
2010104687.tif 000004
【図３】
2010104687.tif 000005
【図４】
2010104687.tif 000006
【図５】
2010104687.tif 000007
【図６】
2010104687.tif 000008
【図７】
2010104687.tif 000009
【図８】
2010104687.tif 000010
【図９】
2010104687.tif 000011
【図１０】
2010104687.tif 000012